(57)【要約】  【課題】  十分に覚醒しない内に目覚まし時計から出る音を止めることができないようにすることを課題とする。  【解決手段】  目覚まし時計において、予め設定した時間になると音が鳴る、電気により駆動される電子ブザーと、所定の音量以上の音声を感知した場合に前記電子ブザーのスイッチを切る音声スイッチとを設ける。これにより、目覚し時計から出る音を止めるためには所定の音量以上の音声を目覚まし時計に感知させなければならず、使用者は目覚まし時計を止めるために大声を出す必要が生じ、大声を出すことで脳を活性化させて覚醒状態に至らせることができる。  【選択図】  図２
2005140744.tif 000002
【特許請求の範囲】
【請求項１】
予め設定した時間になると音が鳴る、電気により駆動される電子ブザーと、
所定の音量以上の音声を感知した場合に前記電子ブザーのスイッチを切る音声スイッチと、
を有する目覚まし時計。
【請求項２】
前記所定の音量を調整する調整手段を有する請求項１に記載の目覚まし時計。
【請求項３】
前記目覚まし時計において、さらに、音声を感知するためのマイクロフォンが電気コードを介して接続され、前記音声スイッチが感知する音声はこのマイクロフォンが感知する音声である、請求項１又は２に記載の目覚まし時計。
【発明の詳細な説明】
【技術分野】
【０００１】
本発明は目覚まし時計に関し、特に、目覚まし時計の音の停止動作に関する。
【背景技術】
【０００２】
睡眠から所定の時間に目覚めるために、古くから目覚まし時計が利用されている。目覚まし時計は使用者が起床したい時間を設定して就寝すると、設定した時間に所定の音が鳴ることで使用者の聴覚を刺激して使用者を覚醒させる。その後、起床した使用者は所定のボタン等を操作することで目覚まし時計が出す音を止めることができる。
【発明の開示】
【発明が解決しようとする課題】
【０００３】
このような、従来の目覚まし時計は簡単に音を止めることができる。そのため、使用者は、十分に覚醒していない内に音を止めて再び眠ってしまうことがしばしば起こるという問題が生じていた。
本発明はこのような問題に鑑み、十分に覚醒しない内に目覚まし時計から出る音を止めることができないようにすることを課題とする。
【課題を解決するための手段】
【０００４】
上記課題を解決するために、本発明は次のような構成を有する。
請求項１に記載の発明は、予め設定した時間になると音が鳴る、電気により駆動される電子ブザーと、所定の音量以上の音声を感知した場合に前記電子ブザーのスイッチを切る音声スイッチとを有する目覚まし時計である。
請求項２に記載の発明は、前記所定の音量を調整する調整手段を有する請求項１に記載の目覚まし時計である。
請求項３に記載の発明は、前記目覚まし時計において、さらに、音声を感知するためのマイクロフォンが電気コードを介して接続され、前記音声スイッチが感知する音声はこのマイクロフォンが感知する音声である、請求項１又は２に記載の目覚まし時計。
【発明の効果】
【０００５】
請求項１に記載の発明は、目覚し時計から出る音を止めるためには所定の音量以上の音声を目覚まし時計に感知させなければならない。この所定の音量を人が大きな声を出したときの音量レベルに設定しておけば、使用者は目覚まし時計を止めるために大声を出す必要が生じる。このように大声を出すという行為は半覚醒状態では困難であり、また、大声を出すことで脳を活性化させて覚醒状態に至らせることができるので、目覚まし時計の音が止まったときには、使用者を十分に覚醒した状態にすることができる。
請求項２に記載の発明は、前記目覚まし時計において、前記所定の音量を調整する調整手段を有するので、使用者の地声の大きさに応じて音を止めるための音量を柔軟に変更することができる。
請求項３に記載の発明は、目覚まし時計を止めるための音声を、コードを介したマイクロフォンに対して発する必要が生じる。このため、使用者は目覚ましを止めるために、まず、マイクロフォンを探す必要が生じ、より、覚醒を促進することができるとともに、目覚まし時計の音に音声スイッチが反応しないように、音声を感知するマイクロフォンと、音が鳴る目覚まし時計を離しておくことができる。
【発明を実施するための最良の形態】
【０００６】
以下、本発明の実施の形態について、図面を参照しながら説明する。
図１に本実施の形態に係る目覚まし時計Aの正面図を示す。目覚まし時計Ａは外見上、文字盤と時間を示す短針１ａ、長針１ｂおよび設定された時刻を示す設定時刻指示針１ｃを有する時計本体１と電気コード３０ａ１を介して時計本体１と接続されるマイクロフォン３０ａを有する。
図２に目覚まし時計Ａの機能を模式的に表す機能ブロック図を示す。目覚まし時計Ａは機能的に時計部１０、電子ブザー２０、音声スイッチ３０より構成される。また、音声スイッチ３０はマイクロフォン３０ａ、アンプ３０ｂ、音声スイッチ駆動部３０ｃとより構成される。この目覚まし時計Ａはマイコン制御により目覚ましの動作を行うものであり、ＣＰＵ、ＲＡＭ、ＲＯＭ、クロック等のハードウエアにプログラムを内蔵することで動作する。時計部１０、音声スイッチ駆動部３０ｃはマイコン内に構成される。
時計部１０は、本体１に表示されるアナログ時計と連動するようになっており、短針および長針の位置に同調した時刻を発生させる。また、設定時刻指示針１ｃが示す時刻にも同調するようになっており、設定時刻指示針が示す時刻になると所定の信号を電子ブザーへ発生させる。電子ブザー２０は目覚ましのための音を電気的に鳴らすブザーであって、時計部１０からの信号によりスイッチが入り、後述する、音声スイッチ駆動部３０ｃからの信号によりスイッチが切れるようになっている。
【０００７】
音声スイッチ３０は、所定の音量以上の音声を感知した場合に前記電子ブザーに対してスイッチを切るための信号を発生させる。マイクロフォン３０ａは音声を電気信号に変換する。アンプ３０ｂはマイクロフォン３０ａからの電気信号を増幅させる。なお、アンプ３０ｂによる増幅率は時計の背面カバー内に設けられるディップスイッチ３０ｂ１により調整できるようになっている。このディップスイッチは音声スイッチ３０における感知音量を調整する調整手段を構成する。また、このディップスイッチ３０ｂ１の一部は目覚まし動作のオンオフを行うスイッチとなっている。音声スイッチ駆動部３０ｃは、ＡＤコンバーターを介してアンプ３０ｂから送信される電気信号を受け付けて、所定の数値以上であれば、前記電子ブザー２０へスイッチを切るための信号を発生させる。ここでは、ディップスイッチに応じてマイクロフォン３０ａに入力される音量が７０ｄＢ〜１１０ｄＢの場合にスイッチを切るための信号が発生するようになっている。
【０００８】
次に、以上のような構成を有する、目覚し時計の使用方法を説明する。なお、アンプ３０ｂのディップスイッチ３０ｂ１は、予め、使用者により好みの音量により電子ブザーが止まるように設定されているものとする。まず、使用者は就寝前に設定時刻指示針を図示しない時計本体１の背面に設けられるつまみを回すことで設定し、枕もとに時計本体１を置き、マイクロフォン３０ａはやや離れたところに置いて寝床に就く。その後、設定時刻になると時計部１０からの信号により電子ブザー２０が音を発生させる。これにより使用者は目が覚めるが、この時点では半覚醒の場合が多い。使用者は電子ブザー２０からの音を止めるために、まず、マイクロフォン３０ａを探し出して手をとり、これを口元にもってきて大声を出す、ここで十分な大声が出ると、音声スイッチ３０が電子ブザーのスイッチを切る信号を発生させて電子ブザーから出る音が止まるが、声が小さいと電子ブザーは鳴り続ける。覚醒が十分でないと意識的に大きな声は出ないので、半覚醒状態で起きた場合は、何度か声を出すことになる。これによって、使用者は大声を出して覚醒できるまで、電子ブザーが鳴るので、使用者は脳が活性化し、すっきりと目覚めることができることになる。
なお、本発明に係る目覚まし時計は本実施の形態ではマイコンで制御するようにしているがハードウエアのみで構成することも可能である。
【図面の簡単な説明】
【０００９】
【図１】実施の形態に係る目覚まし時計の外観を示す正面図である。
【図２】実施の形態に係る目覚まし時計の機能を模式的に示す機能ブロック図である。
【符号の説明】
【００１０】
Ａ      目覚まし時計
１０    時計部
２０    電子ブザー
３０    音声スイッチ
３０ａ  マイクロフォン
【図１】
2005140744.tif 000003
【図２】
2005140744.tif 000004